(57)【特許請求の範囲】
【請求項１】
取付部材により上部カバーが螺着されたソケット本体とプリント基板に固着された枠体との錠止係合を解除し、前記ソケット本体に配設されたコンタクトピンを前記上部カバーごと取外す第１の工程と、
新たなコンタクトピンが配設され、取付部材により上部カバー部材が螺着された新たなソケット本体を、該ソケット本体に設けられた錠止手段を介して前記プリント基板に固着された枠体に係止させる第２の工程と、
を備えることを特徴とするＩＣソケットのコンタクトピンの交換方法。
【請求項２】
前記第２の工程は、前記ソケット本体に設けられた弾性変形可能なアーム部と、前記プリント基板に固着された枠体に設けられた爪部とを係合することを特徴とする請求項1記載のＩＣソケットのコンタクトピンの交換方法。
【請求項３】
プリント基板に固着された枠体に装着され、コンタクトピンが配設されたソケット本体に取付部材により螺着された上部カバー部材の前記取付部材を取外す工程と、
前記ソケット本体に配設された前記コンタクトピンを所要の数だけ取り出す工程と、
前記ソケット本体に所要の数だけ新たなコンタクトピンを配設する工程と、
前記上部カバー部材を前記ソケット本体に前記取付部材により螺着する工程と、
を備えることを特徴とするＩＣソケットのコンタクトピンの交換方法。
【請求項４】
プリント基板に固着された枠体と、
前記枠体に錠止手段を介して着脱自在に装着されるソケット本体と、
前記ソケット本体に配設されたコンタクトピンと、
前記ソケット本体に取付部材によって螺着されている上部カバー部材と、
を有することを特徴とするＩＣソケット。
【請求項５】
前記錠止手段は、前記ソケット本体に設けられた弾性変形可能なアーム部と、前記プリント基板に固着された枠体に設けられた爪部と有することを特徴とする請求項４記載のＩＣソケット。
【請求項６】
前記取付部材は、ねじであることを特徴とする請求項４記載のＩＣソケット。
【発明の詳細な説明】
【０００１】
【発明の属する技術分野】
本発明は、ＩＣソケットのコンタクトピンの交換方法およびＩＣソケットに係わるもので、特に、ＩＣソケットに用いられるコンタクトピンを交換する方法およびＩＣソケットに関するものである。
【０００２】
【従来の技術】
従来、電気部品としてのＩＣパッケージ等を検査する検査装置のＩＣソケットにおいては、ソケット本体が保有するコンタクトピンと、このようなソケット本体に塔載したＩＣパッケージの外部コンタクトピンとの開閉を行うＩＣソケットが知られている。
【０００３】
【発明が解決しようとする課題】
従来のこのようなＩＣソケットにおいて、コンタクトピンを交換する場合にはＩＣソケットをプリント基板から取外してコンタクトピンを交換しなければならない。
【０００４】
従って、プリント基板をソケットから取外してコンタクトピンを交換するのは厄介であり、時間がかかって面倒である。
【０００５】
従って、本発明の目的は、このような従来における問題を解決するために、プリント基板を実装したままでもコンタクトピンを全数または必要な数だけ交換することができるようにしたＩＣソケットのコンタクトピンの交換方法およびＩＣソケットを提供することにある。
【０００６】
【課題を解決するための手段】
上述の目的を達成するために、本発明のＩＣソケットのコンタクトピンの交換方法は、取付部材により上部カバーが螺着されたソケット本体とプリント基板に固着された枠体との錠止係合を解除し、前記ソケット本体に配設されたコンタクトピンを前記上部カバーごと取外す第１の工程と、新たなコンタクトピンが配設され、取付部材により上部カバー部材が螺着された新たなソケット本体を、該ソケット本体に設けられた錠止手段を介して前記プリント基板に固着された枠体に係止させる第２の工程と、を備えることを特徴とする。
【０００７】
また、本発明のＩＣソケットの交換方法は、前記第２の工程が、前記ソケット本体に設けられた弾性変形可能なアーム部と、前記プリント基板に固着された枠体に設けられた爪部とを係合することを特徴とする。
【０００８】
さらに、本発明のＩＣソケットのコンタクトピンの交換方法は、プリント基板に固着された枠体に装着され、コンタクトピンが配設されたソケット本体に取付部材により螺着された上部カバー部材の前記取付部材を取外す工程と、前記ソケット本体に配設された前記コンタクトピンを所要の数だけ取り出す工程と、前記ソケット本体に所要の数だけ新たなコンタクトピンを配設する工程と、前記上部カバー部材を前記ソケット本体に前記取付部材により螺着する工程と、を備えることを特徴とする。
【０００９】
本発明のＩＣソケットは、プリント基板に固着された枠体と、前記枠体に錠止手段を介して着脱自在に装着されるソケット本体と、前記ソケット本体に配設されたコンタクトピンと、前記ソケット本体に取付部材によって螺着されている上部カバー部材と、を有することを特徴とする。
また、本発明のＩＣソケットは、前記錠止手段が、前記ソケット本体に設けられた弾性変形可能なアーム部と、前記プリント基板に固着された枠体に設けられた爪部と有することを特徴とする。
さらに、本発明のＩＣソケットは、前記取付部材が、ねじであることを特徴とする。
【００１４】
本発明のその他の目的や特徴および利点は、添付図面に示される本発明の実施形態についての以下の詳細な説明から明らかである。
【００１５】
【発明の実施の形態】
（実施例１）
図１および図２は、本発明におけるＩＣソケットのコンタクトピンの交換方法を実施するための実施例１を図示、説明するためのＩＣソケットを示す平面図および中央縦断面図である。
【００１６】
図１および図２に示されるように、本発明のＩＣソケットのコンタクトピンの交換方法が適用されるＩＣソケット１は、プリント基板２に固着された枠体３と、この枠体３に装着されるソケット本体４と、このソケット本体４に設けられる多数のコンタクトピン５と、これらコンタクトピン５の上に配置される上部カバー６と、ソケット本体４を枠体３に着脱自在に取付け、取外しできる錠止爪９と錠止部１０を含む錠止手段とを有しており、この上部カバー６上にＩＣパッケージのような電気部品が載置されて押え板（図示しない）によって保持されるように構成されている。
【００１７】
枠体３は四隅において取付部材としてのねじ７によってプリント基板２に固着されており、左右両側部に押え板係止部材８が枢動可能に設けられると共に、内側両側部にソケット本体４を装着すべく係止する錠止爪９が設けられており、ソケット本体４の弾性変位可能な錠止アーム１２の先端の鉤形の錠止部１０と係合できるようになっている。このよう枠体３の錠止爪９とソケット本体４の錠止部１０は、簡単に錠止、解錠できる錠止手段を構成するもので、弾性変位可能な錠止アーム１２を適宜な作動部材によって変位させることによって簡単に操作できるものである。また、上部カバー６は、取付部材としての適宜なねじ１１によってソケット本体４に取付けられる。さらに、押え板係止部材８は、枢支ピン１４回りに枢動でき、上部カバー６上に載置されたＩＣパッケージのような電気部品の上に設置された押え板（図示しない）を固持するように係止される。
【００１８】
このように、本発明が適用されるＩＣソケット１は、ソケット本体４が装着される枠体３が複数個のねじ７によってプリント基板２に固着され、この枠体３に錠止爪９と錠止部１０を含む錠止手段によってソケット本体４が着脱自在に装着され、多数のコンタクトピン５がソケット本体４に配設されている。
【００１９】
このように構成された本発明のＩＣソケット１において、汚れや損傷、または他の何等かの理由によってコンタクトピン５を全て取り換える場合には、図３に示されるように、先ず、ソケット本体４の錠止手段である錠止アーム１２を内側に向って弾性変位させて錠止部１０を錠止爪９から離脱させて、ソケット本体４を上方に引き上げれば、錠止アーム１２の先端の錠止部１０が、枠体３の錠止爪９から離れて錠止係合が解除されるので、ねじ１１によって一体的に固着されたソケット本体４と上部カバー６とがコンタクトピン５と一緒にブロックごと上方に引き出される。
【００２０】
こうして、ソケット本体４と上部カバー６を、コンタクトピン５と一緒にブロックごと上方に引き出すことができるので、交換すべき新たなコンタクトピン５が装着されたソケット本体４と上部カバー６の新しい組を、枠体３の枠の中に組み入れることによって、枠体３の錠止爪９にソケット本体４の錠止部１０が係合されて枠体３にソケット本体４が係止されて固持されるので、新たなコンタクトピン５を有するソケット本体４と上部カバー６の組がプリント基板２上の枠体３に組み込むことができ、全てのコンタクトピン５の一括交換が可能となる。
【００２１】
（実施例２）
上述のように構成された本発明のＩＣソケット１において、何等かの理由によって、あるいはまた必要に応じて、コンタクトピン５の内、一部のコンタクトピン５ａだけを交換すべく取り換えたい場合には、図４に示されるように、先ず、ねじ１１を弛めて取り外して、上部カバー６だけを上方に引き上げて、上部カバー６をソケット本体４から取り外す。こうして、上部カバー６をソケット本体４から取り外せば、ソケット本体４に装着されているコンタクトピン５の上部が露出されてフリーとなるので、所要する必要な数の交換すべきコンタクトピン５ａだけを取り出して新たなコンタクトピン５と交換することができる。このようにして、上部カバー６だけを取り外して、所要する一部のコンタクトピン５ａだけを新たなコンタクトピン５と交換することができる。
【００２２】
この場合に、一部のコンタクトピン５ａだけを交換する際に、取り換えるべき新たなコンタクトピン５がピン孔に挿入される前に、ソケット本体４に対して上部カバー６を位置決めすることによって、コンタクトピン５とピン孔の位置関係を好適に補正することができるので、ソケット本体４に装着されたコンタクトピン５に対して上部カバー６を正確に嵌め込んで好適に装着することができる。こうして、ソケット本体４に上部カバー６が装着されたならば、ねじ１１を螺着してソケット本体４に対して上部カバー６をしかっりと固着することができ、一部の必要なソケットピン５ａが新たなコンタクトピン５と交換されたＩＣソケット１の組立てが完了される。
【００２３】
上記のように構成された本発明が適用されるＩＣソケット１において、ソケット本体に装着されるコンタクトピンの全てを交換する場合には、上部カバーとソケット本体をブロックごと取外すので、大量のコンタクトピンを全数一度に交換することができ、しかも簡単に行うことができると共に、あるいはまた、ソケット本体に装着されるコンタクトピンの一部だけを交換する場合には、上部カバーのみを取外すので、必要な数のコンタクトピンだけを適切に取り出して新しいコンタクトピンと交換することができ、経済的である。
【００２４】
【発明の効果】
以上説明したように、本発明の請求項１記載のＩＣソケットのコンタクトピンの交換方法は、取付部材により上部カバーが螺着されたソケット本体とプリント基板に固着された枠体との錠止係合を解除し、前記ソケット本体に配設されたコンタクトピンを前記上部カバーごと取外す第１の工程と、新たなコンタクトピンが配設され、取付部材により上部カバー部材が螺着された新たなソケット本体を、該ソケット本体に設けられた錠止手段を介して前記プリント基板に固着された枠体に係止させる第２の工程と、を備えるので、プリント基板に実装された状態でも大量のコンタクトピンをブロックごと全部一括して容易かつ簡単に、しかも短時間の内に交換することができる。
【００２５】
本発明の請求項２記載のＩＣソケットのコンタクトピンの交換方法は、前記第２の工程が、前記ソケット本体に設けられた弾性変形可能なアーム部と、前記プリント基板に固着された枠体に設けられた爪部とを係合するので、プリント基板に実装された状態でも、ブロックごとの交換を容易に行うことができるものであって、大量のコンタクトピンを全部一括して容易かつ簡単に、しかも短時間の内に交換でき、簡単な構成で、容易に離脱、係合できる良好な錠止手段を形成することができる。
【００２６】
本発明の請求項３記載のＩＣソケットのコンタクトピンの交換方法は、プリント基板に固着された枠体に装着され、コンタクトピンが配設されたソケット本体に取付部材により螺着された上部カバー部材の前記取付部材を取外す工程と、前記ソケット本体に配設された前記コンタクトピンを所要の数だけ取り出す工程と、前記ソケット本体に所要の数だけ新たなコンタクトピンを配設する工程と、前記上部カバー部材を前記ソケット本体に前記取付部材により螺着する工程と、を備えるので、プリント基板に実装された状態でも、必要なコンタクトピンだけを容易かつ簡単に、短時間の内に交換することができ、経済的であって、簡単な構造に形成することができる。
【００２７】
本発明の請求項４記載のＩＣソケットは、プリント基板に固着された枠体と、前記枠体に錠止手段を介して着脱自在に装着されるソケット本体と、前記ソケット本体に配設されたコンタクトピンと、前記ソケット本体に取付部材によって螺着されている上部カバー部材と、を有するので、プリント基板に実装された状態でも、必要なコンタクトピンだけを容易かつ簡単に、短時間の内に交換することができ、経済的であって、簡単な構造に形成することができる。
本発明の請求項５記載のＩＣソケットは、前記錠止手段が、前記ソケット本体に設けられた弾性変形可能なアーム部と、前記プリント基板に固着された枠体に設けられた爪部と有するので、簡単な構成で、容易に離脱、係合できる良好な錠止手段を形成することができる。
本発明の請求項６記載のＩＣソケットは、前記取付部材が、ねじであるので、簡単な部材で、経済的に製作できる。
【図面の簡単な説明】
【図１】本発明のＩＣソケットのコンタクトピンの交換方法が実施されるＩＣソケットの平面図である。
【図２】図１のＩＣソケットの中央縦断面図である。
【図３】本発明のＩＣソケットの交換方法の実施例１において全コンタクトピンを交換する時の中央縦断面図である。
【図４】本発明のＩＣソケットの交換方法の実施例２において一部のコンタクトピンを交換する時の中央縦断面図である。
【符号の説明】
１      ＩＣソケット
２      プリント基板
３      枠体
４      ソケット本体
５      コンタクトピン
５ａ    コンタクトピン
６      上部カバー
７      ねじ
８      押え板係止部材
９      錠止爪
１０    錠止部
１１    ねじ
１２    錠止アーム
１４    枢支ピン
【図１】
0003664658.tif 000002
【図２】
0003664658.tif 000003
【図３】
0003664658.tif 000004
【図４】
0003664658.tif 000005